(57)【要約】【課題】使用者が触る箇所への放熱を制限した電子機器を提供すること。【解決手段】筺体カバーに中空部を設けて、使用者が触る箇所への局所的に高熱になるのを緩和する。さらに、カバー内部に高熱伝導部品を設け、外観部への温度の均一化を図る。【選択図】図６
2016092371.tif 000002
【特許請求の範囲】
【請求項１】
電子機器の外周を覆う外装部材(105)と、外装部材(105)で覆われる発熱する電子部品(112)から構成される電子機器において、
外装部材(105)は外観を形成する第一の壁(105a)と電子部品を覆う第二の壁(105e)を有し、
第一の壁(105a)と第二の壁(105e)の間に中空部(113)を設けることを特徴とする電子機器。
【請求項２】
中空部(113)を遮るリブ（115）を有し、電子部品(112)に近いところではリブ(115c,115d)の間隔を疎に設け、遠ざかるに従ってリブ(115c,115d)の間隔を密に設けることを特徴とする請求項１に記載の電子機器。
【請求項３】
中空部(113)の側面で第二の壁(105e)に沿って第一または第二の壁を形成する材料より熱伝導率の高い材料の伝熱壁（114）を設けることを特徴とする請求項１又は請求項２に記載の電子機器。
【請求項４】
電子部品(112)に近いところでは第一の壁または第二の壁を形成する材料のリブ(115c)が設けられ、電子部品(112)に遠ざかるに従って第一の壁または第二の壁を形成する材料より熱伝導率の高い材料でリブ(115d)を設けることを特徴とする請求項３に記載の電子機器。
【請求項５】
電子部品(112)はバッテリー(108)であることを特徴とする請求項１乃至請求項４の何れか一項に記載の電子機器。
【発明の詳細な説明】
【技術分野】
【０００１】
本発明は、電子機器の筺体の放熱構造に関する。
【背景技術】
【０００２】
カメラやスマートフォンなどの電子機器では、作動時に基板に実装された半導体素子が発熱するものがある。半導体素子は温度が高くなると、性能の劣化や破壊などの問題があるため、半導体素子の熱は、電子機器の外に放熱して温度が高くならないようにすることが必要であった。そこで、金属や高熱伝導性樹脂製の部品を用いて、発熱部から機器の外へ熱を伝えることで放熱する構造の電子機器などがある（特許文献１）。
【先行技術文献】
【特許文献】
【０００３】
【特許文献１】特開２０１０−１４１１３３号公報
【発明の概要】
【発明が解決しようとする課題】
【０００４】
しかしながら、特許文献１では、発熱源近傍の外装カバーが熱くなるために使用者が不快に感じる事が考えられる。
【０００５】
そこで、本発明の目的は、使用者が触る箇所への放熱を制限した電子機器を提供することにある。
【課題を解決するための手段】
【０００６】
上記の目的を達成するために、本発明の電子機器は、電子機器の外周を覆う外装部材と、外装部材で覆われる発熱する電子部品と、外装部材は外観を形成する第一の壁から構成される電子機器において、電子部品を覆う第二の壁を有し、第一の壁と第二の壁の間に中空部を設ける事を特徴する。また、本発明の他の特徴とするところは、上記中空部を遮るリブを有し、電子部品に近いところではリブの間隔を疎に設け、遠ざかるに従ってリブの間隔を密に設けることを特徴とする。
【０００７】
また、本発明の電子機器の他の特徴とするところは、中空部の側面で第二の壁に沿って第一または第二の壁を形成する材料より熱伝導率の高い材料の伝熱壁が設けられることを特徴とする。
【０００８】
また、本発明の電子機器の他の特徴とするところは、電子部品に近いところでは第一の壁または第二の壁を形成する材料のリブが設けられ、電子部品に遠ざかるに従って第一の壁または第二の壁を形成する材料より熱伝導率の高い材料のリブを設けることを特徴とする。
【０００９】
また、本発明の電子機器の他の特徴とするところは、電子部品はバッテリーであることを特徴とする。
【発明の効果】
【００１０】
本発明によれば、外装カバーの内側に中空部を設けることで使用者が接触する箇所の温度上昇を制限した電子機器の提供を実現できる。
【図面の簡単な説明】
【００１１】
【図１】実施例の斜視図
【図２】実施例の斜視図
【図３】実施例の斜視図
【図４】実施例の斜視図
【図５】実施例の斜視図
【図６】実施例の断面図
【図７】実施例の断面図
【図８】従来例の断面図
【発明を実施するための形態】
【００１２】
以下、本発明を実施するための形態を図面に基づいて説明する。
【００１３】
＜第１の実施形態＞
（撮像装置概略）
図１は本発明に係る電子機器の一実施例であるビデオカメラを正面方向（被写体側）から見た斜視図を示す。図２は本実施例を後方（撮影者側）から見た斜視図を示す。ビデオカメラ本体100の前方（被写体側）には、撮像レンズ101が設けられている。後方（撮影者側）には撮影画像を確認可能な画像表示部102があり、３インチ程度の液晶パネルや有機ＥＬなどからなる。ビデオカメラ本体100とは別の筺体で、ビデオカメラ本体100と接続されているバッテリ収納部103がある。バッテリ収納部103内部にはビデオカメラの駆動電源となるバッテリが収納できる。バッテリ収納部103は主に上面、中央部、下面の３つのカバーで構成されている。
【００１４】
上面にあるのはトリガースイッチなどの操作部がある操作カバー104である。中央部にあるのはバッテリ収納部の外周を覆うバッテリ収納部カバー105である。下面にはバッテリ収納蓋106が開閉可能で設けられ、バッテリ収納蓋106を開ければバッテリの着脱ができる。バッテリ収納部103は撮影時のグリップを兼ねている。図３はバッテリ収納部103を握った時の手の位置についての斜視図である。右手で握って図３のように持つと、人差し指の先がトリガースイッチ107を操作できる位置となる。また、図４で図示する網掛け範囲指示した箇所が、バッテリ収納部カバー105におけるグリップ部105aとして、把持した時に使用者が接触する範囲である。また、バッテリ収納部カバー105における図５で図示する網掛け指示した箇所が、非グリップ部105bで把持した時に使用者が接触しない範囲である。
【００１５】
（放熱構造、中空についての説明）
図６はバッテリ収納部103の断面図である。図６（ａ）はバッテリ収納部103にバッテリ108が内部に収納されている状態の図、図６（ｂ）はバッテリ収納部103にバッテリ108が内部に収納されていない状態の図、図６（ｃ）はバッテリ108のみの図である。図６（a）の通り、バッテリ108を覆うバッテリ収納部カバー105はバッテリ外周を覆う一体の部品として形成されている。このような、外観を覆う形状で一体の部品は３Ｄプリンタなどを用いて作成できる。図６（ｂ）の通り、バッテリ収納部カバー105は内側にバッテリを収納するためのバッテリ収納穴109の形状がある。
【００１６】
図６（ｃ）の通り、バッテリ108には駆動のためのバッテリ基板110と、バッテリセル111が内蔵されている。バッテリ基板110には半導体素子112が実装されている。バッテリ収納部カバー105の外観側の一方には、図４で示した使用者が触れるグリップ部105aがある。他方には、図５で示した非グリップ部105bの使用者が把持しない範囲がある。バッテリ108は使用時にバッテリ基板110上の半導体素子112が発熱する。バッテリ収納穴109にはバッテリを囲うバッテリ収納壁105eがある。バッテリ108の熱はバッテリ収納部カバー105を通じて外部へ伝わる。その際、グリップ部105aは使用者が触れる箇所であるため、高温になると不快と感じる。
【００１７】
図６（ａ）では熱伝達経路および温度を矢印で模式図を示している。点線矢印は発熱源からの熱伝達経路を表示している。外観に図示している実線矢印は外観面の温度上昇を示している。矢印が長い箇所は温度上昇が大きく、矢印が短い箇所は温度上昇が小さいことを表す。グリップ部105aとバッテリ収納壁105eの間には中空部113 が設けられている。これにより、発熱源の半導体素子112からグリップ部105aまでの熱伝達経路（点線矢印）が伸びることにより、発熱源近くのグリップ部105aは熱が伝わりにくい。また、把持しない非グリップ部105b側へは、グリップ部105a側に比べて外観までの熱伝達経路が短いために、熱が伝わりやすい。
【００１８】
中空がない場合の温度上昇について図８に示す。図８と比較すると、中空部をもつ図６（ａ）のグリップ部105aは発熱源に近い箇所の温度上昇が緩和されている。これにより第一の実施例によって得られる効果は、発熱源近傍で使用者が把持する側は中空構造により温度が上昇しづらく、使用者が把持しない側のみに効率的に放熱出来ることにより不快に感じることなく把持することができる。
【００１９】
＜第２の実施形態＞
（放熱構造、高熱伝導部材についての説明）
図７はバッテリ収納部103の断面図であり、図６のバッテリ収納部カバー105の第２の形態を説明する。バッテリ収納部カバー105は外観部品であり、使用者が接触するグリップ部105aなどを兼ねるため、熱伝導率が低いポリカーボネート材を材料として形成されている。バッテリ収納部カバー105の内部にはアルミ材114が全周に挟まって埋まっている。中空部113にはバッテリ収納穴109の壁（105e）側に沿ってアルミ材114を這わせて配置している。外観のポリカーボネート材より熱伝導率の高いアルミ材を内部に埋め込むことにより、熱が全体に伝わりやすくなる。さらに、グリップ部105aはアルミ材114との間に中空部113があることにより、グリップ部105aに熱が伝わりにくくなっている。
【００２０】
中空部113にはグリップ部105aとバッテリ収納穴109の壁(105e)をつなぐリブ（115c,115d）が設けられている。これにより、グリップ部105aが外力を受けた時の強度が高まる。発熱源に近い箇所にはポリカーボネート材のリブ115cの配置する。発熱源から遠ざかるにしたがってポリカーボネート材のリブとアルミ材のリブを交互に配置して、発熱源に遠い箇所ではアルミ材のリブ115dを多く配置する。これにより、発熱源に近い高温部では熱伝導率の低い材料のリブにより熱がグリップ部105aに伝わりにくく、発熱源から遠ざかるに従って、熱伝導率の高い材料のリブにより熱がグリップ部105aに伝わりやすくなり、結果として外観の温度上昇が均一化する。
【００２１】
また、図示しないが、すべてのリブの材質を同じもので、発熱源の近くではリブの間隔を疎に配置し、発熱源から遠ざかるにしたがってリブの間隔を密に配置しても同様に温度均一化の効果が得られる。
【００２２】
よって、第二の実施例によって得られる効果としては、熱伝導率の高い部材を埋め込むことにより熱伝導性を向上して放熱性を確保しつつ、リブ追加によって強度を確保し、発熱源からの距離によって中空部のリブの材質を変えることで温度の均一化をすることにより、把持部の局所的な温度上昇を防ぐことができる。
【００２３】
以上、本発明の形態について説明したとおり、本発明では使用者が把持する箇所を中空構造にすることによって温度が上昇せずに不快に感じることなく把持することができる。
【符号の説明】
【００２４】
100  ビデオカメラ本体、101  撮像レンズ、102  画像表示部、103  バッテリ収納部、
104  操作カバー、105  バッテリ収納部カバー、106  バッテリ収納蓋、
107  トリガースイッチ、108  バッテリ、109  バッテリ収納穴、110  バッテリ基板、
111  バッテリセル、112  半導体素子、113  中空部、114  アルミ材、115  リブ
【図１】
2016092371.tif 000003
【図２】
2016092371.tif 000004
【図３】
2016092371.tif 000005
【図４】
2016092371.tif 000006
【図５】
2016092371.tif 000007
【図６】
2016092371.tif 000008
【図７】
2016092371.tif 000009
【図８】
2016092371.tif 000010